(57)【要約】【課題】  主制御基板への電気的接続作業を効率的に行うことができるようにした遊技機を提供する。【解決手段】  表示ユニット６は、筐体２内に固定される枠体61と、枠体61に取り付けられるとともに、複数の識別情報を変動表示可能な表示器62と、枠体61に可動可能に支持される可動部材63とを有する。主制御基板92は、可動部材63に取り付けられ、可動部材63と共に、実装面が下方を向く倒伏姿勢から起立し得るように回転移動した後、起立した状態で下方へ直線移動することにより実装面が前方を向く起立姿勢に変位可能である。可動部材63は、主制御基板92と共に起立姿勢にあるとき、回転移動しないように、枠体61に設けた阻止部67に係合する。    【選択図】  図２
2007021066.tif 000002
【特許請求の範囲】
【請求項１】
前面が開放した筐体と、該筐体の前面に開閉可能に設けられる前扉とを備え、前記筐体内に、少なくとも表示ユニットと、遊技を統括的に制御する主制御基板とを収容してなる遊技機において、
前記表示ユニットは、前記筐体内に固定される枠体と、該枠体に取り付けられるとともに、複数の識別情報を変動表示可能な表示器と、前記枠体に可動可能に支持される可動部材とを有し、
前記主制御基板は、該可動部材に取り付けられ、前記可動部材と共に、実装面が下方を向く倒伏姿勢から起立し得るように回転移動した後、起立した状態で下方へ直線移動することにより前記実装面が前方を向く起立姿勢に変位可能であり、
前記可動部材は、前記主制御基板と共に起立姿勢にあるとき、回転移動しないように、前記枠体に設けた阻止部に係合することを特徴とする遊技機。
【請求項２】
可動部材は、枠体の阻止部に上方から楔係合することを特徴とする請求項１記載の遊技機。
【請求項３】
筐体は、表示ユニットを収容しているとき、起立姿勢にある可動部材が枠体に設けた阻止部から離脱することがないように、前記可動部材の上方への移動を阻止する当接手段を有することを特徴とする請求項１または２記載の遊技機。
【請求項４】
主制御基板は、起立した状態から下方へ直線移動することにより、枠体に取り付けられた電気的コネクタに電気的に直接接続される基板側接続端子部を有することを特徴とする請求項１〜３のいずれかに記載の遊技機。
【発明の詳細な説明】
【技術分野】
【０００１】
本発明は、筐体内に複数の識別情報を変動表示可能な表示ユニット及び主制御基板を収容した遊技機に関する。
【背景技術】
【０００２】
遊技機としてのスロットマシンにおいては、前面が開放した筐体と、筐体の前面に開閉可能に設けられる前扉とを備え、筐体内には、複数の識別情報を変動表示可能な表示ユニット及び遊技を統括的に制御する主制御基板等の多数の装置が収容されている（例えば、特許文献１参照）。
【特許文献１】特開２００１−１２０７１０号公報
【発明の開示】
【発明が解決しようとする課題】
【０００３】
しかし、上述のような遊技機においては、特に、表示ユニットと主制御基板とを筐体内に取り付ける際、表示ユニットと主制御基板とは別々筐体内に取り付けられるため、それらの取り付け作業が面倒であるとともに、主制御基板と表示ユニットに取り付けられる電気機器との電気的接続を、狭い筐体内で行なう必要があり、電気的接続作業が面倒である問題を有する。
【０００４】
本発明は、上述のような従来の問題に鑑み、表示ユニットに取り付けられる電気機器と主制御基板との電気的接続作業を効率的に行うことができるようにした遊技機を提供することを目的とする。
【課題を解決するための手段】
【０００５】
本発明によると、上記課題は、次のようにして解決される。
（１）前面が開放した筐体と、該筐体の前面に開閉可能に設けられる前扉とを備え、前記筐体内に、少なくとも表示ユニットと、遊技を統括的に制御する主制御基板とを収容してなる遊技機において、前記表示ユニットは、前記筐体内に固定される枠体と、該枠体に取り付けられるとともに、複数の識別情報を変動表示可能な表示器と、前記枠体に可動可能に支持される可動部材とを有し、前記主制御基板は、該可動部材に取り付けられ、前記可動部材と共に、実装面が下方を向く倒伏姿勢から起立し得るように回転移動した後、起立した状態で下方へ直線移動することにより前記実装面が前方を向く起立姿勢に変位可能であり、前記可動部材は、前記主制御基板と共に起立姿勢にあるとき、回転移動しないように、前記枠体に設けた阻止部に係合する。
【０００６】
（２）上記(１)項において、可動部材は、枠体の阻止部に上方から楔係合する。
【０００７】
（３）上記(１)または(２)項において、筐体は、表示ユニットを収容しているとき、起立姿勢にある可動部材が枠体に設けた阻止部から離脱することがないように、前記可動部材の上方への移動を阻止する当接手段を有する。
【０００８】
（４）上記(１)〜(３)項のいずれかにおいて、主制御基板は、起立した状態から下方へ直線移動することにより、枠体に取り付けられた電気的コネクタに電気的に直接接続される基板側接続端子部を有する。
【発明の効果】
【０００９】
本発明によれば、次のような効果が奏せられる。
（ａ）請求項１記載の発明によると、主制御基板と表示ユニットとを同時に筐体内に取り付けることができるため、取り付け作業の向上を図ることができる。また、主制御基板と表示ユニットに設けられる電気機器とを、筐体内に取り付ける前に、予め電気的に接続でき、電気的接続作業を効率的に行うことができる。さらには、主制御基板及び可動部材を倒伏姿勢に変位させることにより、表示ユニットの搬送を効率的に行うことができるとともに、主制御基板の損傷を防止することができる。
【００１０】
（ｂ）請求項２記載の発明によると、主制御基板及び可動部材を起立姿勢にがた付き無く堅固に保持することができる。
【００１１】
（ｃ）請求項３記載の発明によると、主制御基板が表示ユニットと共に筐体内に収容されているとき、主制御基板を誤って可動部材と共に起立姿勢から倒伏姿勢に変位させることを防止することができる。
【００１２】
（ｄ）請求項４記載の発明によると、主制御基板と他の電気機器との電気的接続作業を迅速に行うことができ、電気的接続作業をより効率的に行うことができる。
【発明を実施するための最良の形態】
【００１３】
以下、本発明の一実施形態を、図１〜図２０に基づいて説明する。図１は、本発明を適用した遊技機の正面図、図２は、表示ユニット組付け途中の前扉を開けた状態の遊技機の斜視図、図３は、表示ユニット組付け完了後の前扉を開けた状態の遊技機の斜視図、図４、５は、表示ユニットの斜視図、図６は、表示ユニットの正面図、図７は、図６におけるVII−VII線に沿う縦断面図、図８は、図６におけるVIII−VIII線に沿う縦断面図である。
【００１４】
なお、以下の説明では、図１において紙面手前側を「前方」とし、図１において紙面奥側を「後方」とし、図１において左側を「左方」とし、図１において右側を「右方」とする。
【００１５】
遊技機(１)としてのスロットマシンは、前面が開放した正面視矩形の筐体(２)と、筐体(２)の左側部に上下１対のヒンジ軸(４)により開閉可能に枢支された前扉(３)とを備える。
【００１６】
なお、本実施形態において、遊技機(１)を遊技媒体がメダル（コインを含む）とするスロットマシンとして説明するが、本発明は、これに特定されるものでなく、遊技機(１)を遊技媒体がパチンコ玉であるパチンコ機またはスロットマシンとしても良い。
【００１７】
図３に示すように、筐体(２)内には、図柄、数字等で構成される識別情報を外周面に付記した３個の回転リール(62)を有する表示ユニット(６)と、遊技媒体であるメダルを貯留及び払出可能なホッパーユニット(８)と、透明な合成樹脂製の基板ケース(91)内に遊技を統括的に制御する主制御基板(92)を収容してなる主制御基板ユニット(９)と、各種電気機器へ電力を供給する電源装置(12)とが収容されている。
【００１８】
図１に示すように、前扉(３)の前面には、遊技を行うときにメダルが投入されるメダル投入口(31)、前扉(３)の裏面側に装着された液晶表示ユニット(15)に表示される遊技情報及び演出情報を透視可能な遊技情報表示窓(32)、回転リール(62)の各識別情報を３こまずつ透視可能な識別情報表示窓(33)、メダルの賭数を最大限（３枚）に設定するＭＡＸベットスイッチボタン(34)、メダルの賭数を１枚に設定する１枚ベットスイッチボタン(35)、全ての回転リール(62)を一斉に回転させるときに操作されるスタートスイッチレバー(36)、各回転リール(62)の回転を個別に停止させるときに操作される３個のストップスイッチボタン(37)等が設けられている。
【００１９】
遊技機(１)の遊技は、遊技者がメダルをメダル投入口(31)に投入した後、ＭＡＸベットスイッチボタン(34)または１枚ベットスイッチボタン(35)によりメダルの賭数を設定した後、スタートスイッチレバー(36)を操作して、全ての回転リール(62)を回転させることによって開始される。
【００２０】
回転リール(62)が回転して所定時間が経過した後、３個のストップスイッチボタン(37)を順次操作して、各回転リール(62)の回転を停止させ、停止した３個の回転リール(62)の識別情報の組み合わせにより、入賞の有無、及び賞の大小に応じたメダルの配当枚数が確定され、入賞した場合には、予め定めた入賞枚数分だけホッパーユニット(８)から前扉(３)の下部に設けられたメダル受皿(3a)にメダルが払い出される。
【００２１】
図４〜８に示すように、表示ユニット(６)は、筐体(２)内を上下に仕切る中板(５)上に固定される枠体(61)と、表示器、すなわち枠体(61)内に左右方向を向く軸（図示略）により枢支される前述の回転リール(62)と、各回転リール(62)を回転させるためのリールモータ（図示略）と、主制御基板(92)から出力されるコマンドに基づいて、遊技情報及び演出情報信号を出力可能な副制御基板(10)と、主制御基板(92)から出力されるコマンドに基いて、リールモータの回転を制御する回転リール制御基板（図示略）とを含んで構成される。
【００２２】
なお、表示器は、本実施形態に特定されるものでなく、３個の回転リール(62)に代えて、ループ状の３本のベルトにそれぞれの識別情報を印刷または貼付し、この３本のベルトを各リールによりそれぞれ回走させるようにした所謂ベルト式、または、液晶表示器等により複数の識別情報を表示させるようにした電気的表示装置等を用いても良い。
【００２３】
主制御基板ユニット(９)は、前述のように、透明な基板ケース(91)と、遊技を統括的に制御するＣＰＵ、ＲＡＭ，ＲＯＭ等の電子部品を実装面に実装し、電子部品を不正に交換する等の不正改造ができないように基板ケース(91)内に収容された主制御基板(92)とを含む。基板ケース(91)の下部前面からは、主制御基板(92)の実装面（電子部品が実装される面）に実装された複数のコネクタ(92a)が露出している。各コネクタ(92a)には、前扉(３)に設けられた中継基板（図示略）、電源装置(12)、副制御基板(10)及び回転リール制御基板（図示略）等に電気的に接続される電気的接続コード(20)（図８参照）のコネクタ（図示略）が接続される。
【００２４】
枠体(61)は、底部を形成する底板部(61a)、上部を形成する上板部(61b)、及び側部を形成する左右の側板部(61c)(61c)により形成されている。両側板部(61c)(61d)間における上板部(61b)の上方には、主制御基板ユニット(９)が固定される板状の可動部材(63)が後述のように可動可能に支持されている。
【００２５】
主に図９に示すように、可動部材(63)の両側面には、側方に突出する円柱状の前係合軸部(63a)、後係合軸部(63b)、及び可動部材(63)が後述の起立姿勢にある状態において、上下方向へ所定の長さを有し、かつ下方に行くにしたがって前後幅が漸減する係合段部(63c)が設けられている。
【００２６】
主に図７に示すように、枠体(61)における両側板部(61c)の上前部には、可動部材(63)の前係合軸部(63a)が係脱可能な係止溝(64)が設けられ、また、同じく上後部には、可動部材(63)の後係合軸部(63b)が摺動かつ回動可能に係合する側面視ほぼ倒立Ｌ字状のガイド溝(65)が設けられている。
【００２７】
係止溝(64)は、前後方向に長寸で、かつ可動部材(63)の前係合軸部(63a)が出入り可能なように後端上方が開口している。
【００２８】
ガイド溝(65)は、後係合軸部(63b)が前後方向に摺動可能に係合する前後方向を向く前後案内溝部(65a)、及び前後案内溝部(65a)の後端から下方へ延出し、かつ後係合軸部(63b)が上下方向へ摺動可能に係合する上下案内溝部(65b)を有している。
【００２９】
主に図１４、１５に示すように、ガイド溝(65)における上下案内溝部(65b)の周囲には、可動部材(63)が起立した状態で下方へ直線移動する際、係合段部(63c)が上方から係合可能な段差状の阻止部(67)が設けられている。阻止部(67)の互いに対向する前後壁の間隔(Ｗ)は、下方に行くにしたがって漸減している。
【００３０】
主制御基板ユニット(９)は、可動部材(63)に固定され、可動部材(63)と共に、主制御基板(92)の実装面が下方を向く倒伏姿勢（図４、１１）から後方へ水平移動して離脱位置（図１２参照）まで移動し、この状態から後係合軸部(63b)を回転中心にしてほぼ９０度回転移動して起立（図１３参照）する。そして、起立した状態で下方へ直線移動することにより、主制御基板(92)の実装面が前方を向く起立姿勢（図２、３、図５〜８及び図１０）に変位する。
【００３１】
可動部材(63)は、倒伏姿勢の状態で、封止ベルト(40)により枠体(61)の側板部(61c)に結束されている。したがって、封止ベルト(40)を切断しない限り、可動部材(63)及び主制御基板ユニット(９)を倒伏姿勢から起立姿勢に変位させることはできない。このようにすることにより、主制御基板ユニット(９)が表示ユニット(６)と共に、筐体(２)内に組み付けられる以前に、封止ベルト(40)が切断されている場合には、主制御基板ユニット(９)の不正改造のおそれがあるものとして判断することができる。
【００３２】
可動部材(63)及び主制御基板ユニット(９)が倒伏姿勢にある場合、可動部材(63)の前係合軸部(63a)は、可動部材(63)を倒伏姿勢に弾性保持し得るように、係止溝(64)の前端とその後方に設けられた弾性突部(64a)との間に弾性保持されている。また、後係合軸部(63b)は、主に図１６に示すように、ガイド溝(65)における前後案内溝部(65a)の前端に当接している。
【００３３】
可動部材(63)及び主制御基板ユニット(９)を倒伏姿勢から、前係合軸部(63a)と弾性突部(64a)との弾性係合力に抗して後方へ移動させると、前係合軸部(63a)は、係止溝(64)の後端に移動し、また、後係合軸部(63b)は、主に図１８に示すように、ガイド溝(65)の上下案内溝部(65b)の上端に移動する。この状態で、可動部材(63)の前端を持ち上げて、後係合軸部(63b)を回転中心にしてほぼ９０度回転移動させて起立させると、前係合軸部(63a)は係止溝(64)の開口から抜け出る。また、係合段部(63c)は、主に図１９に示すように、上下方向を向き阻止部(67)に係合可能な状態になる。この状態で、可動部材(63)を下方へ押し込んで直線移動させると、係合段部(63c)は、主に図１４に示すように、上方から阻止部(67)に楔係合し、可動部材(63)及び主制御基板(９)の回転移動を阻止する。これにより、可動部材(63)及び主制御基板ユニット(９)は、がた付きが生じないように堅固に起立姿勢に保持される。
【００３４】
次に、表示ユニット(６)及び主制御基板ユニット(９)の組付け要領及び作用について説明する。表示ユニット(６)を筐体(２)内に組み付けるまで、可動部材(63)及び主制御基板ユニット(９)は、倒伏姿勢に保持される。
【００３５】
この状態においては、可動部材(63)及び主制御基板ユニット(９)は、枠体(61)の上面から大きく上方へ突出しないため、表示ユニット(６)の搬送を効率的に行うことができる。また、主制御基板ユニット(９)の主制御基板(92)は、実装面を下側に向き、かつその上面が可動部材(63)により覆われるため、表示ユニット(６)の搬送中、主制御基板ユニット(９)が他の物体と当接することがなくなり、基板ケース(91)及び主制御基板(92)の損傷を防止することができる。
【００３６】
表示ユニット(９)及び主制御基板ユニット(９)を筐体(２)内に組み付けるには、先ず、封止ベルト(40)を切断した後、可動部材(63)及び主制御基板ユニット(９)を前述のように倒伏姿勢から起立姿勢に変位させる。そして、主制御基板(92)のコネクタ(92a)に、枠体(61)に取り付けられた副制御基板(10)、回転リール制御基板等の電気機器に接続された電気的接続コード(20)のコネクタを接続する。これにより、主制御基板ユニット(９)及び表示ユニット(６)を筐体(２)内に収容する前に、予め主制御基板(９)に電気的接続コード(20)を接続することができ、電気的接続作業を効率的に行うことができる。
【００３７】
可動部材(63)及び主制御基板ユニット(９)を起立姿勢にした状態で、表示ユニット(６)を中板(５)上に載せた状態で後方へ押し込む。これにより、枠体(61)の底板部(61a)の一部が中板(５)に係合するとともに、枠体(61)における底板部(61a)の前端面に設けられた３個の合成樹脂製のスナップピン(14)が中板(５)の前端面に設けられた嵌合孔(5a)に嵌合することにより、表示ユニット(６)は中板(５)上に固定される。また、表示ユニット(６)を中板(５)に固定した後、他の封止ベルト(41)により中板(５)に結束される。したがって、封止ベルト(41)を切断しない限り、表示ユニット(６)を筐体(２)から取り出すことはできない。
【００３８】
枠体(61)を筐体(２)内に固定した後、主制御基板(92)の未接続のコネクタ(92a)に、前扉(３)側に設けられた中継基板等の電気機器に接続された電気的接続コード(20)のコネクタを接続する。そして、主制御基板(92)のコネクタ(92a)に接続された電気的接続コード(20)は、上板部(61b)の後方に設けられたコード収納部(61d)に収容される（図８参照）。
【００３９】
可動部材(63)及び主制御基板ユニット(９)が起立姿勢に保持された状態においては、可動部材(63)及び主制御基板ユニット(９)を起立姿勢から上方へ直線移動させると、係合段部(63c)が阻止部(67)から離脱する前に、可動部材(63)の上端が筐体(２)の当接手段をなす天板(2a)の下面に当接する。これにより、表示ユニット(６)及び主制御基板ユニット(９)を筐体(２)内に固定した状態においては、封止ベルト(41)により表示ユニット(６)が中板(５)に結束されていることと相俟って、主制御基板ユニット(９)を起立姿勢から倒伏姿勢に移動させることはできない。なお、当接手段は、筐体(２)の天板(2a)に変えて、可動部材(63)及び主制御基板ユニット(９)の起立姿勢から上方への直進移動を阻止する金具を、筐体(２)内に別途設けても良い。
【００４０】
図２０は、本発明における他の実施形態の要部の縦断面図を示す。この実施形態においては、主制御基板(92)に基板ケース(91)の下面から突出する基板側接続端子部(92b)を設けるとともに、この基板側接続端子部(92b)に対向する枠体(61)における上板部(61b)の後方に、基板側接続端子部(92b)が電気的に直接接続される電気的コネクタ(50)を設ける。基板側接続端部(92b)と電気的コネクタ(50)との接続は、可動部材(63)及び主制御基板ユニット(９)を起立させた状態から下方へ直線移動させることにより行われる。これにより、主制御基板(92)と他の電気機器との電気的接続作業を迅速に行うことができ、接続作業を効率的に行うことができる。
【図面の簡単な説明】
【００４１】
【図１】本発明を適用した遊技機の正面図である。
【図２】表示ユニット組付け途中の前扉を開けた状態の遊技機の斜視図である。
【図３】表示ユニット組付け完了後の前扉を開けた状態の遊技機の斜視図である。
【図４】主制御基板ユニット及び可動部材が倒伏姿勢にあるときの表示ユニットの斜視図である。
【図５】主制御基板ユニット及び可動部材が起立姿勢にあるときの表示ユニットの斜視図である。
【図６】表示ユニットの正面図である。
【図７】図６におけるVII−VII線に沿う縦断面図である。
【図８】図６におけるVIII−VIII線に沿う縦断面図である。
【図９】可動部材の要部の斜視図である。
【図１０】図６におけるＸ−Ｘ線に沿う縦断面図である。
【図１１】主制御基板ユニット及び可動部材が倒伏姿勢にあるときの図１０と同一部位の縦断面図である。
【図１２】可動部材の動作過程を示す図１０と同一部位の縦断面図である。
【図１３】可動部材の動作過程を示す図１０と同一部位の縦断面図である。
【図１４】図１０におけるXIV部の拡大図である。
【図１５】図１４におけるXV−XV線に沿う横断面図である。
【図１６】図１１におけるXVI部の拡大図である。
【図１７】図１６におけるVII−VII線に沿う縦断面図である。
【図１８】図１２におけるXVIII部の拡大図である。
【図１９】図１３におけるXIX部の拡大図である。
【図２０】他の実施形態を示す要部の縦断面図である。
【符号の説明】
【００４２】
(１)遊技機
(２)筐体
(2a)天板（当接手段）
(３)前扉
(3a)メダル受皿
(４)ヒンジ軸
(５)中板
(5a)嵌合孔
(６)表示ユニット
(８)ホッパーユニット
(９)主制御基板ユニット
(10)副制御基板
(12)電源装置
(14)スナップピン
(15)液晶表示ユニット
(20)電気的接続コード
(31)メダル投入口
(32)遊技情報表示窓
(33)識別情報表示窓
(34)ＭＡＸベットスイッチボタン
(35)１枚ベットスイッチボタン
(36)スタートスイッチレバー
(37)ストップスイッチボタン
(40)(41)封止ベルト
(50)電気的コネクタ
(61)枠体
(61a)底板部
(61b)上板部
(61c)側板部
(61d)コード収納部
(62)回転リール（表示器）
(63)可動部材
(63a)前係合軸部
(63b)後係合軸部
(63c)係合段部
(64)係止溝
(64a)弾性突部
(65)ガイド溝
(65a)前後案内溝部
(65b)上下案内溝部
(67)阻止部
(91)基板ケース
(92)主制御基板
(92a)コネクタ
(92b)基板側接続端子部
【図１】
2007021066.tif 000003
【図２】
2007021066.tif 000004
【図３】
2007021066.tif 000005
【図４】
2007021066.tif 000006
【図５】
2007021066.tif 000007
【図６】
2007021066.tif 000008
【図７】
2007021066.tif 000009
【図８】
2007021066.tif 000010
【図９】
2007021066.tif 000011
【図１０】
2007021066.tif 000012
【図１１】
2007021066.tif 000013
【図１２】
2007021066.tif 000014
【図１３】
2007021066.tif 000015
【図１４】
2007021066.tif 000016
【図１５】
2007021066.tif 000017
【図１６】
2007021066.tif 000018
【図１７】
2007021066.tif 000019
【図１８】
2007021066.tif 000020
【図１９】
2007021066.tif 000021
【図２０】
2007021066.tif 000022